(57)【要約】【課題】収納物の大きさや高さに関係なく複数の収納物を支持することが可能であり、収納物の支持力に差異が生じることなく、安定した状態で収納物を支持して持ち運ぶことが可能であり、また、持ち運ぶ際に、収納物が埃やゴミ等で汚れることが無く、リサイクルが可能な収納物支持体を提供すること。【解決手段】紙箱９に組み込むことで収納物８を支持する収納物支持体１において、四角形の底板３と、当該底板３の周縁に折目線５を介して連設した側板４と、該側板４と前記底板３とに亘るスリット６を形成することで、４方向から支持部７を形成し、かつ、各支持部７の位置関係が、底板３の対角線３１の交点３２を中心として、略９０度ずつ回転させた位置関係となるように、支持部７を形成した。【選択図】図１
0003128169.tif 000002
【実用新案登録請求の範囲】
【請求項１】
箱内に収納して収納物を支持する収納物支持体であって、四角形の底板と、当該底板の４つの外周辺に設けた折目線を介して連設した側板とを備え、前記折目線の一端から折目線上に所定長さのスリットを設け、該スリットと平行に前記側板と前記底板とに亘る内側スリットを設け、両スリット間の帯状部材を内側へ折り曲げて支持部を形成し、隣接した角部に形成する該支持部同士は互いに直角方向に設けることを特徴とする、収納物支持体。
【請求項２】
前記角部に設ける支持部は、複数同じ長さで隣接して設けることを特徴とする、請求項１に記載の収納物支持体。
【請求項３】
前記支持部の幅は底板中央側程狭くなるように構成したことを特徴とする、請求項２に記載の、収納物支持体。
【考案の詳細な説明】
【技術分野】
【０００１】
本考案は、植物や食品等の物品を、収納する箱の内壁から所定距離離れた状態で収納して安定した状態で収納物を運ぶことを可能とする、箱内に設ける収納物支持体に関する。
【背景技術】
【０００２】
植物や食品等の傷つき易い物品を箱に収納して運ぶ場合、その収納物の大きさが箱の収容容積よりも小さいと、箱を運ぶ時に生じる振動や、箱に掛かる荷重等で、収納物が箱内で移動したり揺動したりし、その結果、収納物が壊れたり、傷が付いたりするという問題があった。
また、この問題を回避するために、各収納物の大きさに合わせて、個々に紙箱を用意することは容易ではなく、一度使用した紙箱を他の物品に使用することが困難となるので、リサイクルの促進という点からも問題があった。
これらの、課題に対してはこれまでも関連する考案が提案されている。
【０００３】
例えば、特許文献１においては、紙製包装用箱であって、両側を開放口とする四角形の筒体を箱本体とし、箱本体の対角線上に位置する角部辺より両面に亘る一本の切込みを設けて係止片を形成し、収納物品を支持するために前記係止片を内側に折込みまたは折込み戻し可能に形成すると共に、箱本体の一面を画する対角線上に位置する角部辺より両面に亘る二本一組の切込みを設け、収納個数の満たない端数の収納物品を押える押圧片を筒内に折込みまたは折込み戻し可能に形成することで、同じ形状を有する物品を複数個重ねて収納、梱包するものである。
【０００４】
また、特許文献２においては、梱包箱であって、側壁から底部にかけて設けた平行な一対のスリットを内側へ折曲げて形成し、高さの異なる複数種の高さ調整部を設けることで、被梱包物と高さの合わない梱包箱を用いた場合に梱包箱と被梱包物との間に空隙が生じ、梱包箱内で被梱包物のがたつきや破損等の事故が発生するのを防止するものである。
【特許文献１】特開２００１−３４１７３１号公報
【特許文献２】実開昭６３−１７１３３１号公報
【考案の開示】
【考案が解決しようとする課題】
【０００５】
しかし、特許文献１に係る考案のように、箱本体を筒体とすると、紙箱内で収納物を固定することが可能ではあっても、収納物の大きさに応じて、箱本体を作らなければならないので、従来の課題が未解決である。また、対角線上に位置する係止片によって、収納物を固定することから、例えば、上方に向かって細くなる形状の物品等の様々な形状の物品を、安定した状態で固定することが困難な場合がある。また、筒体となっていることから、高さの異なる複数個の収納物を収納することができないという問題点がある。さらに、紙箱の側壁を折り曲げて係止片を形成するので、紙箱側壁には、折曲げた支持部に相当する部分に空間が出来ている状態となり、その部分から紙箱内にゴミや埃等が浸入し、収納物を汚す恐れがある。殊に、ゴミや埃は、コンピューター等の精密機械を傷つける原因にもなるため、ゴミ等の浸入は回避しなければならない課題である。
【０００６】
また、特許文献２に係る考案のように、収納物の高さに応じて、高さの異なる高さ調整部を設けると、各高さ調整部間において、収納物を支持する支持力に差異が生じることになる。その結果、収納物を安定した状態で支持して運ぶことが困難となるという問題が生じる。また、収納物の高さに応じた高さ調整部を設けることから、一度使用した紙箱に他の高さの収納物を収納することが困難となるので、リサイクルの促進にもおとる結果となる点が問題である。
【０００７】
そこで、本考案では、従来の問題点を解決し、収納物の大きさや高さに関係なく複数の収納物を支持することが可能であり、収納物の支持力に差異が生じることなく、安定した状態で収納物を支持して持ち運ぶことが可能であり、また、持ち運ぶ際に、収納物が埃やゴミ等で汚れることが無く、リサイクルが可能な収納物支持体の形成を目的とするものである。
【課題を解決するための手段】
【０００８】
本考案の解決しようとする課題は以上の如くであり、次にこの課題を解決するための手段を説明する。
【０００９】
即ち、請求項１においては、箱内に収納して収納物を支持する収納物支持体であって、四角形の底板と、当該底板の４つの外周辺に設けた折目線を介して連設した側板とを備え、前記折目線の一端から折目線上に所定長さのスリットを設け、該スリットと平行に前記側板と前記底板とに亘る内側スリットを設け、両スリット間の帯状部材を内側へ折り曲げて支持部を形成し、隣接した角部に形成する該支持部同士は互いに直角方向に設けるものである。
【００１０】
請求項２においては、前記角部に設ける支持部は、複数同じ長さで隣接して設けるものである。
【００１１】
請求項３においては、前記支持部の幅は底板中央側程狭くなるように構成したものである。
【考案の効果】
【００１２】
本考案の効果として、以下に示すような効果を奏する。
【００１３】
請求項１においては、内側に折り曲げた支持部の内側に収納物を配置することで、収納物は支持部の端面で支持されるようになり、該前後左右の支持部は折れ曲がりにくく収納物の荷重を受け止めることができ、安定した状態で収納物を支持して持ち運ぶことが可能となる。また、収納物支持体は箱内に収納されるため、支持部の内側端面は内壁に当接することとなって、更に、強固に支持することができる。また、支持部により形成される空間は箱内に位置するため、収納物が埃やゴミ等で汚れることが無く、リサイクルを可能とするものである。
【００１４】
請求項２においては、箱内に収納する収納物の大きさに合わせて、支持部の数を変更して内側へ折り曲げることで、収納物の外周に当接させることができ、同じ収納物支持体を用いて多種類の収納物を支持して収納することが可能となり、低コストで収納物支持体を構成できる。また、複数の支持部は同じ長さであるため、互いに端面が当接して支持強度を低下させることがない。
【００１５】
請求項３においては、前記支持部の幅が底板中央側程狭くなるので、収納物が大きい程幅の広い支持部で支持して、支持剛性を大きくして確実に支持することができ、収納物が小さいほど、その外形に容易に合わせることができて、支持することが可能となる。
【考案を実施するための最良の形態】
【００１６】
次に、考案の実施の形態を説明する。
図１は本考案の収納物支持体１を開いた状態を示す平面図、図２、図３は支持部７の形成工程を示す平面図、図４は側板折り曲げ部に切欠き４１を設けた収納物支持体１の開いた状態を示す平面図、図５は支持部７を組み立てた状態を示す斜視図、図６は支持部７の構成を示す一部斜視図、図７は収納物支持体１を組み立てた状態を示す斜視図、図８は収納物支持体１を紙箱９に組み込む状態を示す斜視図、図９は収納物支持体１の使用状態を示す平面図、図１０は支持部７に掛かる荷重の方向性と支持部７の剛性を示す模式側面図、図１１は従来の収納物支持体１’の開いた状態を示す平面図、図１２は従来の収納物支持体１’の使用状態を示す平面図、図１３は収納物支持体１の別実施例の使用状態を示す平面図、図１４は収納物支持体１を紙箱９に組み込んで鉢植えを収納した状態を示す斜視図である。
【００１７】
本考案に係る収納物支持体は、植物や食品等の傷つき易い物品を箱に収納して搬送する時に、箱内に組込むことで、収納物の側面を支持し、安定した状態で、収納物を運ぶことを可能にするものである。なお、前記収納物支持体及び箱は本実施例では紙で構成しているが、その材質は限定するものではなく、木や合成樹脂等で構成することも可能である。
【００１８】
まず、収納物支持体１の構成について、図１により説明する。
収納物支持体１は、一枚の台紙２からなり、図１に示すように、四角形状の底板３と、当該底板３の周囲の４辺に配置した折目線５・５・５・５を介して連接した四角形状の側板４・４・４・４とを備え、底板３と側板４・４・４・４とにより略十字状に構成される。なお、底板３と側板４・４・４・４の大きさは収納される紙箱９内に収納できる大きさに合わせた大きさとする。また、前記折目線５上の一部にスリット６ａを形成し、前記側板４と前記底板３とに亘るように、内側スリット６ｂ・６ｂ・６ｂを平行に形成し、各内側スリット６ｂ・６ｂの間に位置する部分を支持部７として構成される。
【００１９】
次に、前記スリット６の形成と、前記支持部７の形成とについて、図２、図３により説明する。
まず、図２に示すように、折目線５の一端から中途部まで所定長さのスリット６ａを形成する。次に、前記スリット６ａと平行に所定距離離れた（所定幅の）位置にスリット６ａと同じ長さの内側スリット６ｂを折目線５から底板３に形成し、更にその延長上にスリット６ａと同じ長さの内側スリット６ｂを折目線５から側板４に形成する。つまり、側板４と底板３とに亘る内側スリット６ｂを形成する。こうして、両スリット６ａ・６ｂの間に支持部７が、側板４と底板３との端部に形成される。
次に、図３に示すように、支持部７を９０度づつ回転させて他の折目線５と底板３と側板４に前記同様にスリット６ａ・６ｂをそれぞれ形成して支持部７を形成する。つまり、他の支持部７の形成位置は、底板３の対角線３１の交点３２を中心として、前記支持部７を略９０度ずつ回転させた位置である。言い換えれば、立法体または直方体の下四隅の角部に支持部７を設ける構成であって、隣接する支持部７のスリット６ａ・６ｂは互いに直交する方向に設けられており、対角方向に位置する支持部７のスリット６ａ・６ｂは同じ方向（平行）に設けられている。
この結果、台紙２上には、折目線５から側板４と底板３とに延びる支持部７が各角部の４ケ所形成されることになる。つまり、各角部に位置する各支持部７は底板３と側板４の間の折目に沿って前後左右４方向に形成されることになるのである。
前記内側スリット６ｂの長さは略スリット６ａの長さの略２倍となり、両スリット６ａ・６ｂにより形成される帯状の支持部７を内側へ折り曲げて形成すると、図１０（ａ）に示すように略正方形の空間１０が形成される。また、スリット６ａの長さを底板３の辺の長さの略１／３〜１／２の長さとすることにより、図９に示すように、収納物８を収納した状態で、収納物８の横方向の荷重を支持部７の端面７３で受けることができる。つまり、支持部７の側面７２を収納物の重心８ａの前方または側方に位置させることができ、後述するように、収納物８の荷重を受けて支えることが可能となる。
【００２０】
ここで、図４に示すように、側板４の辺の一部に切欠き４１を形成してもよい。言い換えれば、前記スリット６ａの幅を若干大きくして切欠き４１とすることもできる。つまり、図２に示すように、側板４と底板３との間のスリット６ａが切目だけの構成であると、側板４を立ち上げたときに、側板４と底板３との端面同士が当接して変形が生じることがあり、また、収納物支持体１を箱内に収納した時に、側板４と底板３のスリット６ａの端面が収納する箱の内面に当接して、ガタが生じることがある。しかし、図４のように切欠き４１を形成することによって、摩擦が生じることはなく、立ち上げたときに折目線５上に構成したスリット６ａがはみ出すことがなく、収納物支持体１を容易に箱内に収納することができるのである。
【００２１】
また、本考案の収納物支持体１では、内側スリット６ｂを複数平行に形成して、支持部７を複数個連設することも可能である。
つまり、同一底板３と側板４に内側スリット６ｂ・６ｂ・・・を平行に形成し、その帯状の支持部７の長さを同じ長さとすることで、収納物支持体１の組み立て時（内側への折り曲げ時）において、各支持部７の高さ及び内側への張出長さが同じとなる。このように構成することで、立ち上げた時に隣接する支持部７の端面同士が当接して、支持部７の変形を防止できるのである。また、変形した収納物であっても立ち上げる支持部７を選択して内側へ折り曲げることで、容易にその形状に合わせて支持することが可能となるのである。
ただし、各支持部７（帯状部材）の幅は、同一であってもよいが、各支持部７の幅が異なるように構成していてもよい。この場合、スリット６を形成する幅を変えることによって、組み立て時において、幅の異なる支持部７を形成することが可能となり、収納する物品の大きさに容易に合わせることができる。そして、支持部７の幅はスリット６ａ（端部）側ほど幅広くし、底板３の中央側ほど狭く構成することで、大きい収納物ほど幅の広い部分で支持して変形に耐える力が大きくなり、小さい収納物ほどその大きさに合わせることが容易にできて、外周の一部に接するように支持部７を立ち上げて支持できるのである。
【００２２】
このように、台紙２において、側板４と底板３とに亘るスリット６を入れて支持部７を形成した後、図５に示すように、前記支持部７を折目線５に沿って山折りに内側へ折り曲げることで、支持部７の組み立てが完了する。
前記支持部７は、図６に示すように、側板４の一部からなる上面７１と、底板３の一部からなる側面７２と、上面７１と側面７２の両側に位置する端面７３とによって、構成されている。
【００２３】
このような構成において、台紙２を組み立てる時には、四方の側板４・４・４・４を折目線５・５・５・５に沿って立ち上げると同時に、各支持部７・７・７・７を山折りに折り曲げると、図７に示すように、上方が開放されて、内側四隅の下部に支持部７・７・７・７が形成されこの状態で箱内に収納することで収納物支持体１が完成する。
【００２４】
次に、本考案の収納物支持体１の使用方法について説明する。
本考案の収納物支持体１は、支持部７を折り曲げて組み立て、側板４を立ち上げることで完成するが、完成後に側板４の立設を維持することができない。したがって、収納物支持体１を単体で使用するのではなく、図８に示すように、収納物支持体１の大きさに即した紙箱９に、組み立てた収納物支持体１を矢印方向に下ろし、組み込んで使用するものである。紙箱９の形状は特に限定されるものではなく、持ち手付きの紙箱、筒型の紙箱、蓋付きの紙箱等であってもよい。つまり、収納物支持体１の側板４の立設を保持することが可能であるのならば、形状は問わないものである。
ここで、支持部７は山折りに折り曲げることで完成する。したがって、収納物支持体１の組み立て時において、支持部７を山折りに折り曲げた部分に相当する、側板４と底板３との一部が、空間１０となっている。この部分から埃やゴミなどが入り易くなる。そこで、収納物支持体１を紙箱９に組み込むことによって、紙箱９の側壁９１が空間１０の入口部分を塞ぐので、収納物８が埃等で汚れることなく、衛生的に収納物８を支持することが可能となる。
【００２５】
収納物支持体１を紙箱９に組み込み、その後収納物８を紙箱９に収納することで、本考案の使用状態となる。
収納物支持体１を紙箱９に組み込み、収納物８を紙箱９に収納した状態を、開放口側から見ると、図９に示すように、収納物８は支持部７と支持部７との間に挟まれて固定された状態で、支持部７によって支持されていることが分かる。
このとき、収納物８は支持部７によって支持されるのであるが、より詳細には、支持部７の端面７３によって支持されるものである。
【００２６】
ここで、本考案の使用時における、支持部７に掛かる荷重の方向と、支持部７自体の荷重に対する剛性との関係を、図１０により説明する。なお、図１０に示すＸ、Ｙ、Ｚの矢印は、荷重が掛かる方向を示し、Ｘ方向を左右方向、Ｙ方向を前後方向、Ｚ方向を上下方向とする。
支持部７を山折りに折り曲げて組み立てると、側面７２と上面７１と紙箱９の側壁９１との間に図１０（ａ）に示すように、空間１０が形成される。
こうして４つの支持部７を立ち上げた状態で、横方向から側面７２に荷重を掛けると、図１０（ｂ）に示すように、側面７２部分が折れ曲がるか、或いは、図１０（ｃ）に示すように、上面７１が折れ曲がる。また、上方から下方に荷重を掛けた場合も、図１０（ａ）に示すように、側面７２部分が折れ曲がるか、或いは、図１０（ｃ）に示すように、上面７１が折れ曲がる。
【００２７】
しかし、紙箱９内に収納物８を収納した場合には、図９に示すように、Ｘ方向に収納物８の荷重が掛かった場合には、左右の支持部７の端面７３に荷重がかかることになるが、該端面７３は紙箱９の側壁９１に当接しているので、変形することは殆どなく荷重を受け止めることができる。同様に、Ｙ方向に収納物８の荷重が掛かった場合にも前後の支持部７の端面７３に荷重がかかり受け止めることができる。なお、上方（Ｚ方向）からの荷重は殆どない。つまり、支持部７の上面７１上に収納物を載せることはないので、変形することはないのである。但し、対角方向への荷重は、隣接する支持部７・７の端面７３・７３にかかり、Ｘ方向とＹ方向に力が分散されて支持される。
【００２８】
これに対して従来の構造は、図１１、図１２に示すように、収納物支持体１のスリット６ａ’・６ｂ’は、全て同じ方向に設けられているため、Ｘ方向の荷重に対して弱く、Ｙ方向の荷重に対して強い構成となっていた。この結果、箱に収納して物品を搬送した場合には、剛性の弱い側面７２が荷重に耐え切れずに折れ曲がり、その結果収納物８が壊れたり、傷付いたりする恐れがある。特に、支持部の帯の幅が狭い場合には、スリットと直角方向（Ｙ方向）の荷重に対して、折目部分だけで支持するため、倒れ易く、Ｘ方向は更に弱いのである。また、支持部の大きさ（高さ）が異なり、隣接して設けていない場合（引用文献２）には、端面同士及び側壁で支持することができないため、剛性が弱い構造となっていた。
【００２９】
次に、本考案のうち、複数個の支持部７を横方向に隣接して形成した場合の、収納物支持体１の使用状態について、図１３により説明する。
本考案は、同じ高さの複数個の支持部７を隣接して形成する構造としている。つまり、各角四隅にそれぞれ同じ長さのスリット６ａ・６ｂを平行に複数配置して、支持部７を四隅それぞれ複数構成し、スリット６ａ・６ｂの方向は対角線方向で同じとして、隣接する隅部のスリット６ａ・６ｂは直角方向に配置している。こうして、図１３に示すように、紙箱９内に物品（収納物８）を収納する場合、その収納物８の大きさに合わせて、支持部７の組み立て（立ち上げ）数を調整する。つまり、収納物８の周囲に接するように四隅の支持部７の数を組み合わせて立ち上げることで、様々な大きさの収納物８を収納して搬送時に横揺れ等を防止することが可能となる。
また、高さの異なる支持部７を設ける場合には端面同士が当接することはないので、互いに支持し合うことはないが、本考案の如く同じ高さの支持部７を複数個隣接して設けることによって、隣接する支持部７の端面同士が当接することとなり、支持力をより高めることが可能となる。
また、支持部７を隣接して複数個形成し、各支持部７の組み立て数を変更して組み合わせることで、幅の異なる（形状や大きさの異なる）収納スペースを形成することが可能となる。つまり、図１３（ａ）に示すように大きな収納物８を支持することも、図１３（ｂ）に示すように小さな収納物８を支持することも可能となる。
【００３０】
さらに、本考案の収納物支持体１は、側板４と底板３とで構成されており、上方が開放された構成となっている。したがって、収納物８の高さは、収納物支持体１の高さに制限されることがない。つまり、収納物支持体１は紙箱９の高さに合わせて構成する必要はなく、紙箱９の底面積に合わせた収納物支持体１を構成すれば、高さの高い箱でも低い箱でも同じ収納物支持体１を収納して、異なる高さの収納物８を支持することができ、コストも低減できる。
例えば、図１４に示すように、鉢植え４０を収納する場合などでは、鉢の部分を支持できる大きさの収納物支持体１を、鉢植え４０の高さに合わせた紙箱９内に収納することによって、安定した状態で鉢植えを運ぶことが可能となる。この場合、鉢を支持するだけでよいので、植物の葉などを傷つけることなく、運ぶことが可能となる。
【００３１】
また、本考案の収納物支持体１を紙箱９に組み込み、収納物８を収納すると、紙箱９と収納物の間に支持部７を挟む構成となることから、収納物８と側板４との間には空間１０が生まれることになる。そのため、紙箱９に外側から荷重が掛かっても、間に挟んだ空間１０がクッションの役割を果たすので、収納物８に掛かる荷重は軽減することになる。
したがって、収納物支持体１は、収納物８を支持する役割を果たすだけではなく、緩衝材としての役割も果たしているのである。
【００３２】
以上のように、箱９内に収納して収納物８を支持する収納物支持体１であって、四角形の底板３と、当該底板３の４つの外周辺に設けた折目線５・５・５・５を介して連設した側板４・４・４・４とを備え、前記折目線５の一端から折目線５上に所定長さのスリット６ａを設け、該スリット６ａと平行に前記側板４と前記底板３とに亘る内側スリット６ｂを設け、両スリット６ａ・６ｂ間の帯状部材を内側へ折り曲げて支持部７を形成し、隣接した角部に形成する該支持部７・７同士は互いに直角方向に設けるものである。
このように、内側に折り曲げた支持部７の内側に収納物８を配置することで、収納物８は支持部７の端面７３で支持されるようになり、該前後左右の支持部７は折れ曲がりにくく収納物８の荷重を受け止めることができ、安定した状態で収納物８を支持して持ち運ぶことが可能となる。また、収納物支持体１は紙箱９内に収納されるため、支持部７の内側端面７３は内壁（側壁）９１に当接することとなって、更に、強固に支持することができる。また、支持部７により形成される空間１０は箱９内に位置するため、収納物８が埃やゴミ等で汚れることが無く、リサイクルを可能とするものである。
また、前記角部に設ける支持部７は、複数同じ長さで隣接して設けている。よって、紙箱９内に収納する収納物８の大きさに合わせて、支持部７を数を変更して内側へ折り曲げることで、収納物８の外周に当接させることができ、同じ収納物支持体１を用いて多種類の収納物８を支持して収納することが可能となり、低コストで収納物支持体１を構成できる。また、複数の支持部７は同じ長さであるため、互いに端面７３が当接して支持強度を低下させることがない。
また、前記支持部の幅は底板中央側程狭くなるように構成している。従って、前記支持部７の幅が底板３中央側程狭くなるので、収納物８が大きい程幅の広い支持部７で支持して、支持剛性を大きくして確実に支持することができ、収納物８が小さいほど、その外形に容易に合わせることができて、支持することが可能となる。
【図面の簡単な説明】
【００３３】
【図１】本考案の収納物支持体１を開いた状態を示す平面図。
【図２】支持部７の形成工程を示す平面図。
【図３】支持部７の形成工程を示す平面図。
【図４】側板折り曲げ部に切欠き４１を設けた収納物支持体１の開いた状態を示す平面図。
【図５】支持部７の組み立てた状態を示す斜視図。
【図６】支持部７の構成を示す一部斜視図。
【図７】収納物支持体１を組み立てた状態を示す斜視図。
【図８】収納物支持体１を紙箱９に組み込んだ状態を示す斜視図。
【図９】収納物支持体１の使用状態を示す平面図。
【図１０】支持部７に掛かる荷重の方向性と支持部７の耐性を示す模式側面図。
【図１１】従来の収納物支持体１’の開いた状態を示す平面図。
【図１２】従来の収納物支持体１’の使用状態を示す平面図。
【図１３】収納物支持体１の別実施例の使用状態を示す平面図。
【図１４】収納物支持体１を紙箱９に組み込んで鉢植えを収納した状態を示す斜視図。
【符号の説明】
【００３４】
１    収納物支持体
２    台紙
３    底板
４    側板
５    折目線
６    スリット
７    支持部
８    収納物
９    紙箱
１０    空間
３１    対角線
３２    交点
７１    上面
７２    側面
７３    端面
９１    側壁
【図１】
0003128169.tif 000003
【図２】
0003128169.tif 000004
【図３】
0003128169.tif 000005
【図４】
0003128169.tif 000006
【図５】
0003128169.tif 000007
【図６】
0003128169.tif 000008
【図７】
0003128169.tif 000009
【図８】
0003128169.tif 000010
【図９】
0003128169.tif 000011
【図１０】
0003128169.tif 000012
【図１１】
0003128169.tif 000013
【図１２】
0003128169.tif 000014
【図１３】
0003128169.tif 000015
【図１４】
0003128169.tif 000016